(57)【要約】【課題】引出しを筐体に着脱する際に手が汚れてしまうことを防ぐ工夫がなされたドロワ装置を提供する。【解決手段】幅方向に直交する奥行き方向に延在した案内レール４と、案内レール４に沿って出し入れされる引出し２とを備え、引出し２は、幅方向に離間して設けられ、幅方向内側を向いて互いに対向した一対のレール受け３を有するものであり、一対のレール受け３それぞれは、案内レール４に接する、上側接触部３１および下側接触部３２が設けられたものである。【選択図】図４
2016162146.tif 000002
【特許請求の範囲】
【請求項１】
幅方向に直交する奥行き方向に延在した案内レールと、
前記案内レールに沿って出し入れされる引出しとを備え、
前記引出しは、前記幅方向に離間して設けられ、該幅方向内側を向いて互いに対向した一対のレール受けを有するものであり、
前記一対のレール受けそれぞれは、前記案内レールに接する接触部が設けられたものであることを特徴とするドロワ装置。
【請求項２】
前記接触部は、グリスを溜めておくグリス溜まりを有するものであることを特徴とする請求項１記載のドロワ装置。
【請求項３】
前記接触部は、前記引出しの最下端よりも上方に設けられたものであることを特徴とする請求項１または２記載のドロワ装置。
【発明の詳細な説明】
【技術分野】
【０００１】
本発明は、ＰＯＳシステムに用いられるキャッシュドロワ等のドロワ装置に関する。
【背景技術】
【０００２】
従来、ＰＯＳシステムやキャッシュレジスタ等には、紙幣や貨幣、金券等を保管するキャッシュドロワ等のドロワ装置が用いられている。このドロワ装置には、プリンタに接続され、その接続されたプリンタから電源供給されるものや、キャッシュレジスタに搭載されプリンタ等と一体化されたものなどが知られている。一般的に、ドロワ装置は、筐体に設けられた案内レールと、この案内レールに沿って筐体に出し入れされる引出しとを備えている。案内レールは、奥行き方向に延在した状態で配置されている。引出しには、案内レールに接する接触部が設けられ、引出しは、その接触部が案内レールに接しながら筐体に出し入れされる（例えば、特許文献１等参照）。
【０００３】
特許文献１に記載されたドロワ装置では、引出しを筐体から取り外せる構造になっており、営業が終了し、いわゆるレジ締めを実施した後、引出しに収納されている金銭を引出しごと金庫に保管することができ、便利である。
【先行技術文献】
【特許文献】
【０００４】
【特許文献１】実開平０５−９１４５０号公報
【発明の概要】
【発明が解決しようとする課題】
【０００５】
しかしながら、案内レールに接する接触部には、スベリをよくするためにグリス等が塗布されていることが多く、特許文献１に記載されたドロワ装置では、引出しを持ち、筐体から取り外して金庫内に収納する動作、あるいは、引出しを金庫から取り出して筐体に取付ける動作において、接触部に不用意に手が触れて、塗布されているグリス等が手に付着して汚れてしまう場合がある。引出しを筐体から取り外して金庫に収納し、再び引出しを筐体に取付ける作業は、営業終了後と営業開始前に行われ、頻度が少ないとはいえない作業であり、このような作業において手を汚れにくくする工夫が望まれている。
【０００６】
本発明は上記事情に鑑み、引出しを筐体に着脱する際に手が汚れてしまうことを防ぐ工夫がなされたドロワ装置を提供することを目的とする。
【課題を解決するための手段】
【０００７】
上記目的を解決する本発明のドロワ装置は、
幅方向に直交する奥行き方向に延在した案内レールと、
前記案内レールに沿って出し入れされる引出しとを備え、
前記引出しは、前記幅方向に離間して設けられ、該幅方向内側を向いて互いに対向した一対のレール受けを有するものであり、
前記一対のレール受けそれぞれは、前記案内レールに接する接触部が設けられたものであることを特徴とする。
【０００８】
ここで、前記接触部は、ローラであってもよいし摺動面であってもよい。また、前記接触部は、前記レール受けの上端に設けられたものであり、前記案内レールは、該接触部に接触する天井部を有するものであってもよい。
【０００９】
本発明のドロワ装置によれば、前記接触部を有する前記レール受けが、前記幅方向内側を向いて互いに対向して設けられている。このため、グリスが塗布されることが多い前記接触部に手が触れにくくなり、前記引出しを筐体に着脱する際に該引出しを掴んでも手が汚れてしまうことが少なくなる。
【００１０】
また、本発明のドロワ装置において、前記接触部は、グリスを溜めておくグリス溜まりを有するものであってもよい。
【００１１】
こうすることで、前記接触部にグリスが保持されやすくなり、前記案内レールに対する前記レール受けのスベリを長い期間向上させることができる。また、前記接触部は、前記引出しを掴んだ際に手が触れにくい箇所に設けられているため、前記グリス溜まりにグリスが保持されていても、該グリスが手に付着してしまう虞も少ない。
【００１２】
さらに、本発明のドロワ装置において、前記接触部は、前記引出しの最下端よりも上方に設けられたものであることが好ましい。
【００１３】
ここで、前記接触部は、前記レール受けの下端に設けられたものであり、前記案内レールは、該接触部が接触する底部を有するものであってもよい。
【００１４】
前記接触部を前記引出しの最下端よりも上方に設けることで、前記引出しを、例えば、金庫内に収納したり床に置いたときに、該接触部が金庫の載置部や床に接しにくくなる。これにより、接触部に塗布したグリスが金庫の載置部や床に付着してしまうといった不具合を防ぐことができる。
【発明の効果】
【００１５】
本発明のドロワ装置によれば、引出しを筐体に着脱する際に手が汚れにくくなる。
【図面の簡単な説明】
【００１６】
【図１】ドロワ装置としてのキャッシュドロワを備えたＰＯＳ用機器を示す図である。
【図２】（ａ）は、図１に示すＰＯＳ用機器から引出しを取り外した状態を示す斜視図であり、（ｂ）は、（ａ）においてレール受けおよびその周辺領域を円で囲んで示すＡ部の拡大図である。
【図３】（ａ）は、引出しを後側から見た背面図であり、（ｂ）は、（ａ）においてレール受けおよびレール受けが取り付けられたアームの下端側部分を楕円で囲んで示すＢ部の拡大図である。
【図４】（ａ）は、引出しが収納位置にある場合の、ベース部と引出しを示す斜視図であり、（ｂ）は、ドロワ側ベース部とこのドロワ側ベース部に収納された引出しの断面を示す、（ａ）のＣ−Ｃ断面図である。
【図５】引出しをドロワ装置に取付け、収納位置まで移動させる態様を説明するための概念図である。
【図６】（ａ）は、引出しを取り外したＰＯＳ用機器を右斜め上方から見た斜視図である。（ｂ）は、（ａ）における、規制駒とこの規制駒が取り付けられた周囲の領域を楕円で囲んで示すＤ部の拡大図である。（ｃ）は、規制駒の平面図である。
【図７】幅方向の位置が規制駒に規制されて引出しが開放位置から収納位置まで移動する様子を概念的に示す平面図である。
【図８】引出しの幅方向の位置を調整するため、突起部に取付ける規制駒の向きを変更する様子を示す部分平面図である。
【図９】引出しが収納位置に収まる際の動きを段階的に示す図である。
【発明を実施するための形態】
【００１７】
以下、図面を参照して本発明の実施の形態を説明する。本発明の一実施形態であるドロワ装置は、ＰＯＳシステム等のキャッシュドロワや、キャッシュレジスタに搭載されたキャッシュドロワ、あるいはプリンタと一体化されたキャッシュドロワ等に採用されるものである。本実施形態では、プリンタと一体化された態様を例に挙げて説明する。なお、本発明は、キャッシュドロワに限らず、家具やキッチン等に備えられるドロワ装置にも適用することができるが、キャッシュドロワのように、引出しを着脱する頻度が高いドロワ装置に特に好適に用いられるものである。
【００１８】
図１は、ドロワ装置としてのキャッシュドロワ１０を備えたＰＯＳ用機器９を示す図である。このＰＯＳ用機器９は、不図示のＰＯＳ端末と接続され、このＰＯＳ端末でなされる決済処理に基づき、レシート発行や金銭処理を行うものである。ＰＯＳ用機器９は、筐体９０に内蔵された不図示のプリンタと、筐体９０に引出し２が収容されたキャッシュドロワ１０とを備えている。筐体９０の、プリンタが内蔵された領域は、前側からプリンタカバー９１で覆われている。図１では、引出し２が筐体９０内に収納された状態を示しており、以下、この図１に示す引出し２の位置を収納位置と称することがある。引出し２は、収納位置から、図では左斜め下方に引き出されるものであり、この左斜め下方が、ＰＯＳ用機器９およびキャッシュドロワ１０の前側になり、右斜め上方が後側になる。以下の説明では、ＰＯＳ用機器９およびキャッシュドロワ１０を前側から見た場合の右側を単に右側と称し、ＰＯＳ用機器９およびキャッシュドロワ１０を前側から見た場合の左側を単に左側と称することがある。また、右側と左側を結ぶ左右方向が幅方向に相当し、前側と後側を結ぶ前後方向が奥行き方向に相当する。引出し２は、前側部分に前板２１を備えており、収納位置において、前板２１の前面が、プリンタカバー９１の前面と、幅方向に面一状に並ぶように配置されている。また、引出し２は、前板２１の左側端部２１Ｌが、プリンタカバー９１の右側端部９１Ｒと僅かな間隔をあけて配置されている。この間隔が大きくなるとデザイン上好ましくないため、詳しくは後述するように、本実施形態では、プリンタカバー９１と前板２１との間隔を調整する構成を備えている。
【００１９】
図２（ａ）は、図１に示すＰＯＳ用機器９から引出し２を取り外した状態を示す斜視図である。図２（ａ）では、図１に示す筐体９０の内部構造を明らかにするためベース部９０ａのみを示し、筐体９０に内蔵されるプリンタも省略している。また、図２（ａ）は、ＰＯＳ用機器９を右斜め後側から見た図であり、左斜め上方が前側になり、右斜め下方が後側になる。
【００２０】
図２（ａ）に示すように、引出し２は、前側に前板２１が固定された引出し本体２２と、この引出し本体２２から後側に延在した一対のアーム２３，２３と、アーム２３に取り付けられたレール受け３を備えている。引出し本体２２は、金銭等を収納する収納部２２ａを有し、この収納部２２ａには、着脱自在に配置された貨幣トレイ２２１と複数の仕切板２２２が設けられている。一対のアーム２３，２３は、幅方向に離間して設けられ、互いに対向する側の側面にレール受け３が取り付けられている。レール受け３の詳しい説明は後述する。
【００２１】
ベース部９０ａは、プリンタ側ベース部９１ａとドロワ側ベース部９２ａを有しており、プリンタ側ベース部９１ａには、不図示のプリンタが配置される。ドロワ側ベース部９２ａには、一対の案内レール４，４が設けられている。一対の案内レール４，４は、一対のレール受け３，３に対応して幅方向に離間した位置において奥行き方向に延在したものである。また、ドロワ側ベース部９２ａの前側部分には、幅方向に離間した位置に設けられた一対のガイドローラ６，６と、これら一対のガイドローラ６，６の間に取り付けられた規制駒５が設けられている。一対のガイドローラ６，６は、引出し２を出し入れする際に、引出し２を支持しつつガイドするものであり、規制駒５は、引出し２の幅方向の位置を規制するものである。これら一対のガイドローラ６，６と規制駒５との詳しい作用は後述する。なお、ドロワ側ベース部９２ａの後側部分には、不図示のロックユニットが配置され、引出し２の後側部分には、ロックユニットに係合する不図示の係合部材が固定されており、ロックユニットと係合部材とが係合することで、引出し２は、収納位置にロックされる。
【００２２】
次いで、図２（ｂ）および図３を用いて、レール受け３の構成と、レール受け３のアーム２３への取付構造について説明する。図２（ｂ）は、同図（ａ）においてレール受け３およびその周辺領域を円で囲んで示すＡ部の拡大図である。また、図３（ａ）は、引出し２を後側から見た背面図であり、同図（ｂ）は、同図（ａ）においてレール受け３およびレール受け３が取り付けられたアーム２３の下端側部分を楕円で囲んで示すＢ部の拡大図である。
【００２３】
図３（ａ）に示すように、一対のアーム２３，２３の下端側部分には、幅方向内側に向けて突出した支持片２３１がそれぞれ設けられている。この支持片２３１は、図２（ｂ）に示すように、奥行き方向に間隔をあけて一対設けられており、これら一対の支持片２３１，２３１に挟まれた状態でレール受け３が固定されている。これにより、図３（ａ）に示すように、一対のレール受け３は、幅方向内側を向いて互いに対向した状態に配置される。
【００２４】
図２（ｂ）および図３（ｂ）に示すように、レール受け３は、上端部に設けられた上側接触部３１と、下端部に設けられた下側接触部３２と、上側接触部３１と下側接触部３２とを幅方向内側で接続する側面部３３とを有している。上側接触部３１と下側接触部３２は、詳しくは後述するように、図２に示す案内レール４に接する部分であり、潤滑剤のグリスが塗布される。図２（ｂ）に示すように、上側接触部３１には、その奥行き方向における中間部分に下方に凹となるグリス凹み３１１が設けられ、下側接触部３２には、その奥行き方向における中間部分に上方に凹となるグリス凹み３２１が設けられている。また、上側接触部３１には、奥行き方向に延在したグリス溝３１２が形成され、図３（ｂ）に示すように、下側接触部３２には、奥行き方向に延在したグリス溝３２２が形成されている。これらグリス凹み３１１，３２１とグリス溝３１２，３２２は、塗布されたグリスを保持するためのものであり、グリス溜まりに相当する。塗布されたグリスが上側接触部３１および下側接触部３２のグリス溜まりに保持されていても、一対のレール受け３は、幅方向内側を向いて互いに対向した状態に配置されているため、引出し２を着脱する際に引出し２を掴んでも上側接触部３１および下側接触部３２に手が触れにくい。この結果、上側接触部３１や下側接触部３２に不用意に触れてグリスが付着してしまうことが少なくなる。なお、グリス溜まりを、グリス凹み３１１，３２１とグリス溝３１２，３２２のいずれか一方によって構成してもよく、また、上側接触部３１と下側接触部３２とのいずれか一方にのみグリス溜まりを設ける構成を採用してもよい。また、レール受け３の側面部３３を、案内レール４の壁部４３に接する接触部とし、この接触部にグリス溜まりを設けてもよい。
【００２５】
図３（ａ）に示すように、引出し２では、アーム２３の下端部２３ａが最下端になる。図３（ｂ）に示すように、レール受け３の下側接触部３２であっても、アーム２３の下端部２３ａよりも高さＨ分、高い位置に設けられている。このため、引出し２を金庫内に収納したり床に置いたときに、該接触部が金庫の載置部や床に接しにくくなる。これにより、接触部に塗布したグリスが金庫の載置部や床に付着してしまうといった不具合も防ぐことができる。
【００２６】
次いで、図４を用いて、引出し２が収納位置にある場合の、案内レール４とレール受け３との状態を説明する。図４（ａ）は、引出しが収納位置にある場合の、ベース部と引出しを示す斜視図であり、同図（ｂ）は、ドロワ側ベース部９２ａとこのドロワ側ベース部９２ａに収納された引出し２の断面を示す、同図（ａ）のＣ−Ｃ断面図である。なお、同図（ｂ）では、図面を分かり易くするため、レール受け３および案内レール４以外の構成は、省略あるいは簡略化して示している。
【００２７】
図４（ｂ）に示すように、案内レール４は、断面形状が横向き略Ｕ字状のものであり、天井部４１と、底部４２と、これら天井部４１と底部４２とを接続する壁部４３とを有している。壁部４３は、鉛直方向に立ち上がったものであり、レール受け３の側面部３３における幅方向内側に対向している。天井部４１は、壁部４３の上端部分から幅方向外側に向けて延在したものであり、レール受け３の上側接触部３１に上方から対向している。底部４２は、ドロワ側ベース部９２ａの底板９２１の一部を構成するものであり、底板９２１の、壁部４３の下端が接続した箇所から幅方向外側に向けて延在した部分が底部４２に相当する。この底部４２は、レール受け３の下側接触部３２に下方から対向している。また、図２（ａ）に示すように、案内レール４の前側部分には、天井部４１を設けていない。さらに、ドロワ側ベース部９２ａにおける底板９２１の前側部分には、一段落ち込んだ落込部９２１ａが形成されており、この落込部９２１ａには、案内レール４の底部４２が形成されていない。なお、天井部４１の前側部分には、補強リブ４１１が形成されている。この補強リブ４１１は、引出し２を前側に引き出した状態（図５（ｂ）参照）では、天井部４１の前側部分に大きな荷重がかかるため、この部分を補強するものである。また、図４（ｂ）に示すように、引出し２の底壁２２３には、ガイド溝２２３１が設けられている。このガイド溝２２３１は、奥行き方向に延在したものであり、規制駒５（図２参照）が挿入された状態で引出し２が奥行き方向に移動する。ガイド溝２２３１の詳細は後述する。
【００２８】
図５は、引出しをドロワ装置に取付け、収納位置まで移動させる態様を説明するための概念図である。図５では、引出し２とレール受け３、ならびにドロワ側ベース部９２ａ、案内レール４およびガイドローラ６を簡略化して示している。
【００２９】
引出し２を取付けるには、図５（ａ）に示すように、案内レール４の前側における、天井部４１および底部４２が形成されていない部分から、天井部４１と底部４２との間にレール受け３を挿入する。図５（ｂ）に示すように、引出し２を案内レール４に挿入した直後の状態（あるいは、前側に大きく引き出して引出し２を開放した状態）では、矢印で示すように引出し２にはガイドローラ６を支点とした反時計回りのモーメントが生じる。これにより、レール受け３の上側接触部３１が案内レール４の天井部４１に強く接する。なお、上側接触部３１が接する箇所が天井部４１の前側になればなるほど天井部４１にかかる荷重は大きくなるが、天井部４１の前側部分には、補強リブ４１１が形成されているため、案内レール４の破損等が防止される。以下、図５（ｂ）に示す引出し２の位置を開放位置と称することがある。引出し２が開放位置にある場合には、レール受け３の下側接触部３２は、引出し２の重量や収納した金銭等の重量によっては案内レール４の底部４２とは接していないか、あるいは僅かに接した状態になる。
【００３０】
次いで、引出し２を開放位置から収納位置に向けて押し込んでいくと、レール受け３は、案内レール４の天井部４１に対して摺動しながら後側に移動し、それにつれて反時計回りのモーメントが徐々に小さくなっていく。やがて、引出し２に生じるモーメントが、反時計回りのモーメントから時計回りのモーメントに変化し、この時計回りのモーメントが徐々に大きくなっていく。引出し２を収納位置まで押し込むと、図５（ｃ）に矢印で示すように、ガイドローラ６を支点にした時計回りのモーメントが最大になり、レール受け３の下側接触部３２が案内レール４の底部４２に強く接した状態になる。一方、図５（ｃ）に示す収納位置から引出し２を取り出すには、同図（ｂ）に示す開放位置まで引出し２を前側に引き出し、同図（ａ）に示す態様とは逆に、案内レール４の、天井部４１および底部４２が形成されていない部分からレール受け３を引き抜けばよい。
【００３１】
前述したように、上側接触部３１および下側接触部３２の、グリス凹み３１１，３２１およびグリス溝３１２，３２２には、グリスが保持されている。このため、引出し２を出し入れする際に、天井部４１に対する上側接触部３１のスベリが滑らかになり、また底部４２に対する下側接触部３２のスベリが滑らかになる。
【００３２】
図６を用いて、引出し２の幅方向の位置を規制する規制駒５の構成について説明する。図６（ａ）は、引出し２を取り外したＰＯＳ用機器９を右斜め上方から見た斜視図である。図６（ａ）に示すように、ドロワ側ベース部９２ａの前側部分には、一対のガイドローラ６，６に挟まれた箇所に規制駒５が取り付けられている。
【００３３】
図６（ｂ）は、同図（ａ）における、規制駒５とこの規制駒５が取り付けられた周囲の領域を楕円で囲んで示すＤ部の拡大図であり、同図（ｃ）は、規制駒５の平面図である。図６（ｂ）および同図（ｃ）に示すように、規制駒５は、外形が略円柱形状のものであり、上下方向に貫通する平面視略正方形状の嵌合孔５ａと、小穴からなる表示部５ｂが形成されている。図６（ｂ）に示すように、ドロワ側ベース部９２ａには、上方に突出した略正四角柱状の突起部９２２が設けられており、規制駒５は、嵌合孔５ａに突起部９２２を嵌合させた状態でドロワ側ベース部９２ａに取り付けられている。図６（ｂ）の規制駒５は、その表示部５ｂが前側に位置する向きで突起部９２２に取り付けられている。以下、図６（ｂ）に示す規制駒５の向きを初期姿勢と称することがあり、この初期姿勢の規制駒５における最も前側に位置する部分（規制駒５の中心と表示部５ｂを通過する法線上に位置する前側の部分）を基準部５ｃと称し、この基準部５ｃの反対側の部分を反基準部５ｄと称することがある。図６（ｃ）に示すように、基準部５ｃと反基準部５ｄとを結ぶ方向において、嵌合孔５ａは、規制駒５の中央に形成されておらず、基準部５ｃから嵌合孔５ａまでの長さＬ１よりも、反基準部５ｄから嵌合孔５ａまでの長さＬ２の方が短く構成されている。また、基準部５ｃと反基準部５ｄとを結ぶ方向と直交する方向においては、嵌合孔５ａは、規制駒５の中央に形成され、この直交する方向において、嵌合孔５ａの両側の長さは共に長さＬ３とされている。これらの長さでは、長さＬ１が最も長く、次いで長さＬ３が長く、長さＬ２が最も短い。
【００３４】
図７は、幅方向の位置が規制駒５に規制されて引出しが開放位置から収納位置まで移動する様子を概念的に示す平面図であり、図７（ａ）は、引出し２が開放位置にある状態を示し、同図（ｂ）は、引出し２が収納位置にある状態を示している。また、図７では、キャッシュドロワ１０の外形形状を模式的に二点鎖線で示し、引出し２の下方に隠れる規制駒５を点線で示している。引出し２については、外形形状を実線で示し、底壁２２３の下面に形成されたガイド溝２２３１を点線で示している。
【００３５】
図７（ａ）および同図（ｂ）に示すように、規制駒５が引出し２のガイド溝２２３１に挿入された状態で、引出し２が開放位置から収納位置に向けて奥行き方向に移動する。前述したように、引出し２は、レール受け３が案内レール４に摺動しながら奥行き方向に移動するが、引出し２は、その幅方向の位置が、案内レール４によって規制されるものではなく、ガイド溝２２３１に挿入された規制駒５によって規制される。また、図７（ａ）に示す開放位置における引出し２の幅方向の位置も、図７（ｂ）に示す収納位置における引出し２の幅方向の位置も、規制駒５によって規制される。すなわち、規制駒５の位置を右側に移動すれば、開放位置、移動中および収納位置における引出し２も右側に移動し、反対に、規制駒５の位置を左側に移動すれば、開放位置、移動中および収納位置における引出し２も左側に移動する。
【００３６】
図８は、引出し２の幅方向の位置を調整するため、突起部９２２に取付ける規制駒５の向きを変更する様子を示す部分平面図である。図８では、下方が前側になる。
【００３７】
図８（ａ）は、規制駒５が初期姿勢にある図６（ｂ）を上方から見た図であり、前述したように、初期姿勢の規制駒５は、基準部５ｃが前側に位置する向きになる。これにより、規制駒５の左側の端部は、突起部９２２から長さＬ３分左側に位置し、規制駒５の右側の端部は、突起部９２２から長さＬ３分右側に位置する。これにより、図７に示す、開放位置、移動中および収納位置における引出し２では、ガイド溝２２３１の幅方向の中央に突起部９２２が位置する状態になる。
【００３８】
図８（ｂ）に示すように、規制駒５を、基準部５ｃが左側に位置する向きで突起部９２２に取付けると、規制駒５の左側の端部は、突起部９２２から長さＬ１分左側に位置し、規制駒５の右側の端部は、突起部９２２から長さＬ２分右側に位置する。これにより、規制駒５の幅方向の位置は、図８（ａ）に示す初期姿勢の場合と比べて、長さＬ１と長さＬ３との差の分、左側に移動する。この結果、図７に示す、開放位置、移動中および収納位置における引出し２の幅方向の位置は、規制駒５が移動した分、左側に移動する。
【００３９】
図８（ｃ）に示すように、規制駒５を、基準部５ｃが右側に位置する向きで突起部９２２に取付けると、規制駒５の左側の端部は、突起部９２２から長さＬ２分左側に位置し、規制駒５の右側の端部は、突起部９２２から長さＬ１分右側に位置する。これにより、規制駒５の幅方向の位置は、図８（ａ）に示す初期姿勢の場合と比べて、長さＬ１と長さＬ３との差の分、右側に移動する。この結果、図７に示す、開放位置、移動中および収納位置における引出し２の幅方向の位置は、規制駒５が移動した分、右側に移動する。
【００４０】
なお、基準部５ｃが後側に位置する向きで規制駒５を突起部９２２に取付けても、規制駒５の幅方向の位置は、図８（ａ）に示す初期姿勢の状態と変わらない。このため、本実施形態では、図８（ａ）、同図（ｂ）および同図（ｃ）に示す３つの状態に、規制駒５の幅方向の位置を調整することができ、この結果、図７に示す、開放位置、移動中および収納位置における引出し２の幅方向の位置も、三段階に調整することができる。これにより、図１に示す、プリンタカバー９１と前板２１との間隔を調整することができる。なお、突起部９２２とこれに嵌合させる嵌合孔５ａを五角形以上の多角形状とし、嵌合孔５ａを形成する位置を規制駒５の中心からずらすことで、引出し２の幅方向における位置を４段階以上に調整する構成を採用してもよい。
【００４１】
図９は、引出し２が収納位置に収まる際の動きを段階的に示す図である。図９では、規制駒５に規制されながら移動するガイド溝２２３１と前板２１との関係を示すため、左側の（ａ）では、図７（ｂ）において、ガイド溝２２３１の前側部分と規制駒５とを楕円で囲んだＥ部を拡大して示し、右側の（ｂ）では、プリンタカバー９１と前板２１のみを簡略化して示している。これら図９（ａ）および同図（ｂ）は、いずれも上方から見た図であり、下方が前側になり、左右方向が幅方向になる。
【００４２】
図９（ａ−１）に示すように、ガイド溝２２３１は、その前側端部よりもやや後側の部分に幅方向（本実施形態では左方向）に蛇行した蛇行部２２３１ａが形成され、この蛇行部２２３１ａを挟んだ前側と後側には奥行き方向に直線状に延びた真直部２２３１ｂ，２２３１ｂが形成されている。なお、図９（ａ）では、蛇行部２２３１ａを明確にするため、その蛇行する程度を誇張して示している。図７（ａ）に示す開放位置から同図（ｂ）に示す収納位置に向けて引出し２を押し込んでいくと、図９（ａ−１）に示すように、蛇行部２２３１ａに差し掛かるまでは真直部２２３１ｂが規制駒５に規制されてスライドしていく。これにより、図９（ｂ−１）に示すように、奥行き方向において、前板２１の左側端部２１Ｌがプリンタカバー９１の右側端部９１Ｒに略揃った状態、あるいは前板２１の左側端部２１Ｌとプリンタカバー９１の右側端部９１Ｒとの間に僅かな間隔を有した状態で引出し２が後側に移動する。また、規制駒５とガイド溝２２３１との間に生じたガタツキ等によって、図９（ｂ−１）に二点鎖線で示すように、奥行き方向において前板２１の左側端部２１Ｌがプリンタカバー９１の右側端部９１Ｒに重なった状態で引出し２が後側に移動する場合もある。
【００４３】
次いで、図９（ａ−２）に示すように、蛇行部２２３１ａが規制駒５に規制される状態になると、ガイド溝２２３１の位置が右側に移動する。これにより、引出し２が収納位置に収まる直前において、図９（ｂ−２）に示すように、前板２１の位置も右側にずれ、前板２１の左側端部２１Ｌとプリンタカバー９１の右側端部９１Ｒとの間に間隔Ｇが生じる。この間隔Ｇは、前述した、前板２１とプリンタカバー９１とが重なってしまう場合における、その重なりよりも大きく設定される。引出し２が収納位置に収まるときには、図９（ａ−３）に示すように、再び真直部２２３１ｂが規制駒５に規制される。これにより、図９（ｂ−３）に示すように、前板２１の位置が左側に戻り、前板２１の左側端部２１Ｌとプリンタカバー９１の右側端部９１Ｒとの間には、予め規制駒５の向きによって調整した僅かな間隔を有する状態になる。また、収納位置から引出し２を引き出す際には、図９（ｂ−３）に示す、前板２１とプリンタカバー９１との間に僅かな間隔を有する状態から、図９（ｂ−２）に示す、間隔Ｇを有する状態に引出し２が一旦移動する。その後、再び図９（ｂ−１）に示す、前板２１がプリンタカバー９１に略揃った状態に戻って引出し２が開放される。
【００４４】
本実施形態のように、引出し２が収納位置に収まる直前および引出し２を収納位置から引き出した直後に、前板２１とプリンタカバー９１との間に間隔Ｇを生じさせることで、収納位置における引出し２の前板２１とプリンタカバー９１との間の間隔を小さく設定した場合であっても、前板２１とプリンタカバー９１との不用意な接触を回避することができる。
【００４５】
以上説明したように、本発明のキャッシュドロワ１０によれば、引出し２を着脱する際に引出し２を掴んでも上側接触部３１や下側接触部３２に不用意に触れて手を汚してしまうことが少なくなる。
【００４６】
本発明は前述の実施の形態に限られることなく特許請求の範囲に記載した範囲で種々の変更を行うことができる。例えば、上記実施形態では、接触部として、摺動面である上側接触部３１と下側接触部３２とを有する構成を採用しているが、接触部としてローラを採用することもできる。例えば、レール受け３の上端部分と下端部分それぞれにローラを設け、これらローラが案内レール４の天井部４１や底部４２に接するものであってもよい。また、上記実施形態では、一対のレール受け３に対応して、案内レール４を一対設ける構成を採用しているが、一方のレール受け３が接する、天井部４１および底部４２と、他方のレール受け３が接する、天井部４１および底部４２とが一体になった、例えば、断面視略Ｈ字状に構成した一つの案内レール４を採用することもできる。
【符号の説明】
【００４７】
１０    キャッシュドロワ
２    引出し
２１    前板
２３    アーム
３    レール受け
３１    上側接触部
３２    下側接触部
３１１，３２１    グリス凹み
３１２，３２２    グリス溝
４    案内レール
４１    天井部
４２    底部
５    規制駒
５ｂ    表示部
６    ガイドローラ
９    ＰＯＳ用機器
９０    筐体
９２ａ    ドロワ側ベース部
【図１】
2016162146.tif 000003
【図２】
2016162146.tif 000004
【図３】
2016162146.tif 000005
【図４】
2016162146.tif 000006
【図５】
2016162146.tif 000007
【図６】
2016162146.tif 000008
【図７】
2016162146.tif 000009
【図８】
2016162146.tif 000010
【図９】
2016162146.tif 000011